(57)【特許請求の範囲】
【請求項１】
天面壁と該天面壁の周縁から垂下するスカート壁とを具備し、該スカート壁には周方向に延びる周方向破断ラインが形成されており、該スカート壁は該周方向破断ラインよりも上方の主部と該周方向破断ラインよりも下方のタンパーエビデント裾部とに区画されており、該スカート壁の該主部の内周面には雌螺条が形成されており、該タンパーエビデント裾部の内周面には、該タンパーエビデント裾部の内周面から半径方向内方に向かって下方に傾斜角度αをなして延びる状態に成形され、しかる後に半径方向内方に向かって上方に延びる状態に反転せしめられた係止片が配設されている、タンパーエビデント特性を有する合成樹脂製容器蓋において、
該係止片と該タンパーエビデント裾部との間には、周方向に間隔をおいて複数個の干渉片が配設されており、該干渉片の存在に起因して、周方向に間隔をおいた複数個の部位において、半径方向内方に向かって上方に傾斜する該係止片の傾斜角度が該傾斜角度αよりも大きい傾斜角度βにせしめられている、ことを特徴とする合成樹脂製容器蓋。
【請求項２】
該係止片の自由端縁部は周方向において波形状にせしめられている、請求項１記載の合成樹脂製容器蓋。
【請求項３】
該干渉片は該係止片の、該タンパーエビデント裾部の内周面に対向する面上に形成されており、該係止片が成形の後に反転せしめられることによって該干渉片の自由端縁が該タンパーエビデント裾部の内周面に当接せしめられる、請求項１又は２記載の合成樹脂製容器蓋。
【請求項４】
該干渉片は該タンパーエビデント裾部の内周面に形成されており、該係止片が成形の後に反転せしめられることによって該干渉片の自由端縁が該係止片に当接せしめられる、請求項１又は２記載の合成樹脂製容器蓋。
【請求項５】
該干渉片の、該係止片又は該タンパーエビデント裾部に接続された基縁は上方に向かって閉回転方向に傾斜して延び、該干渉片は該基縁から半径方向に対して開回転方向に傾斜して延びる、請求項３又は４記載の合成樹脂製容器蓋。
【請求項６】
該係止片の少なくとも基部は周方向に連続して延びる環状である、請求項１から５までのいずれかに記載の合成樹脂製容器蓋。
【請求項７】
該係止片には、その自由端縁からその基縁に向かって延びる切欠が、周方向に間隔をおいて複数個形成されている、請求項６記載の合成樹脂製容器蓋。
【発明の詳細な説明】
【０００１】
【発明の属する技術分野】
本発明は、タンパーエビデント特性（容器が一旦開封されると、その痕跡が容器蓋に残留する特性）を有する合成樹脂製容器蓋に関する。
【０００２】
【従来の技術】
清涼飲料等のためのガラス又は合成樹脂製容器の口頸部に適用される容器蓋として、タンパーエビデント特性を備えた合成樹脂製容器蓋が広く実用に供されている。かような合成樹脂製容器蓋の典型例としては、特公平５−３０６９９号公報に開示されている容器蓋を挙げることができる。この容器蓋は、円形天面壁とこの天面壁の周縁から垂下する円筒形スカート壁とを具備している。スカート壁には周方向に延びる周方向破断ラインが形成されており、スカート壁は周方向破断ラインよりも上方の主部と周方向破断ラインよりも下方のタンパーエビデント裾部とに区画されている。周方向破断ラインは、周方向に間隔をおいて周方向に延びる複数個のスリットとかかるスリット間に残留せしめられる複数個の橋絡部とから構成することができ、タンパーエビデント裾部は複数個の橋絡部を介してスカート壁の主部に接続されている。スカート壁の主部の内周面には雌螺条が形成されている。タンパーエビデント裾部の内周面には係止片が配設されている。周方向に連続して延びる環状である係止片は、タンパーエビデント裾部の内周面から半径方向内方に向かって下方に傾斜して延びる状態に成形され、しかる後に半径方向内方に向かって上方に延びる状態に反転せしめられる。
【０００３】
上述した形態の容器蓋は、略円筒形状の口頸部を備え、この口頸部の外周面には雄螺条とその下方に位置する環状係止あご部が形成されている容器に適用される。容器の口頸部に容器蓋を装着して口頸部を密封するためには、口頸部に容器蓋を被嵌して閉回転方向に回転せしめ、容器蓋の雌螺条を口頸部の雄螺条に螺合せしめる。この際には、タンパーエビデント裾部の内周面に配設されている係止片は半径方向外方に弾性的に撓んで係止あご部を通過し、次いで弾性的に復元せしめられる。容器の口頸部を開封するためには、容器を開回転方向に回転せしめる。かくすると、容器蓋の雌螺条と口頸部の雄螺条との相互作用により、容器蓋は開方向への回転に応じて上方へ移動せしめられる。然るに、タンパーエビデント裾部は、その内周面に配設されている係止片が口頸部の係止あご部の下面に係止せしめられることによって上方への移動が阻止される。かくして、周方向破断ラインの橋絡部に相当な応力が生成され、橋絡部が破断されてタンパーエビデント裾部が主部から分離される。そして、タンパーエビデント裾部を口頸部に残留せしめて、容器蓋のその他の部分が口頸部から離脱され、口頸部が開封される。周方向破断ラインにおける橋絡部の少なくとも１個が高強度の非破断橋絡部であり、タンパーエビデント裾部には軸線方向に延びる軸線方向破断ラインが形成されている場合には、軸線方向破断ラインが破断されてタンパーエビデント裾部が無端環状から有端帯状に展開され、かかるタンパーエビデント裾部が非破断橋絡部を介してスカート壁に接続され続ける。そして、タンパーエビデント裾部を含む容器蓋の全体が口頸部から離脱され、口頸部が開封される。
【０００４】
【発明が解決しようとする課題】
而して、上述した形態の従来の容器蓋には、次のとおりの解決すべき問題がある。タンパーエビデント裾部の内周面に形成されている係止片は、半径方向内方に向かって上方に傾斜角度αをなして傾斜せしめられているが、かかる傾斜角度αは、係止片を反転せしめる前の状態において係止片が半径方向内方に向かって下方に傾斜して延びる時の係止片の傾斜角度αと実質上同一になる。そして、この傾斜角度αは比較的小さい角度に制限される。傾斜角度αが過剰になると、圧縮成形又は射出成形によって容器蓋を成形する成形工程における型抜きの際の所謂無理抜きが過剰になる故である。係止片の傾斜角度αが比較的小さい角度に制限されることは、係止片の自由端縁によって規定される円の内径が比較的大きい値に制限されることを意味し、従って、係止片の自由端縁によって規定される円の内径ｄ１と口頸部に形成されている係止あご部の外径ｄ２との差ｄ２−ｄ１が比較的小さい値に制限されることを意味する。そして、上記差ｄ２−ｄ１が比較的小さい値に制限される故に、従来の容器蓋においては、口頸部を開封するために容器蓋を開方向に回転する際に、例えば口頸部に対して容器蓋が幾分変心せしめられる等に起因して特定角度位置において係止片の自由端縁が係止あご部よりも半径方向外側に移動せしめられ、係止あご部の下面からその外周面に移動し、次いで容器蓋の回転に応じて上記特定角度位置から周方向に引き続いて係止片の自由端縁が係止あご部の下面から外周面に移動し、かくして係止片の自由端縁が周方向全周に渡って係止あご部の下面から外周面に移動してタンパーエビデント裾部も自由に上方に移動する状態になり、所謂すっぽ抜け、即ち周方向破断ライン（及び軸線方向破断ライン）の破断を発生せしめることなく容器蓋の全体が口頸部から離脱せしめられ、タンパーエビデント特性が毀損されてしまう虞があった。
【０００５】
本発明は上記事実に鑑みてなされたものであり、その主たる技術的課題は、上述したとおりの形態の従来の容器蓋に見られる所謂すっぽ抜けが充分確実に防止される、改良された容器蓋を提供することである。
【０００６】
【課題を解決するための手段】
上記技術的課題を解決するために、本発明においては、係止片とタンパーエビデント裾部との間に、周方向に間隔をおいて複数個の干渉片を配設し、干渉片の存在に起因して、周方向に間隔をおいた複数個の部位において、半径方向内方に向かって上方に傾斜する係止片の傾斜角度が上記傾斜角度αよりも大きい傾斜角度βにせしめられるようになす。
【０００７】
即ち、本発明によれば、上記技術的課題を解決する合成樹脂製容器蓋として、天面壁と該天面壁の周縁から垂下するスカート壁とを具備し、該スカート壁には周方向に延びる周方向破断ラインが形成されており、該スカート壁は該周方向破断ラインよりも上方の主部と該周方向破断ラインよりも下方のタンパーエビデント裾部とに区画されており、該スカート壁の該主部の内周面には雌螺条が形成されており、該タンパーエビデント裾部の内周面には、該タンパーエビデント裾部の内周面から半径方向内方に向かって下方に傾斜角度αをなして延びる状態に成形され、しかる後に半径方向内方に向かって上方に延びる状態に反転せしめられた係止片が配設されている、タンパーエビデント特性を有する合成樹脂製容器蓋において、
該係止片と該タンパーエビデント裾部との間には、周方向に間隔をおいて複数個の干渉片が配設されており、該干渉片の存在に起因して、周方向に間隔をおいた複数個の部位において、半径方向内方に向かって上方に傾斜する該係止片の傾斜角度が該傾斜角度αよりも大きい傾斜角度βにせしめられている、ことを特徴とする合成樹脂製容器蓋が提供される。。
【０００８】
該係止片の自由端縁部は周方向において波形状にせしめられているのが好適である。該干渉片を該係止片の、該タンパーエビデント裾部の内周面に対向する面上に形成し、該係止片が成形の後に反転せしめられることによって該干渉片の自由端縁が該タンパーエビデント裾部の内周面に当接せしめられるようになすことができる。これに代えて、該干渉片を該タンパーエビデント裾部の内周面に形成し、該係止片が成形の後に反転せしめられることによって該干渉片の自由端縁が該係止片に当接せしめられるようになすこともできる。該干渉片の、該係止片又は該タンパーエビデント裾部に接続された基縁は上方に向かって閉回転方向に傾斜して延び、該干渉片は該基縁から半径方向に対して開回転方向に傾斜して延びるのが好適である。該係止片の少なくとも基部は周方向に連続して延びる環状であり、該係止片には、その自由端縁からその基縁に向かって延びる切欠が、周方向に間隔をおいて複数個形成されているのが好都合である。
【０００９】
【発明の実施の形態】
以下、本発明に従って構成された合成樹脂製容器蓋の好適実施形態について、添付図面を参照して詳細に説明する。
【００１０】
図１を参照して説明すると、全体を番号２で示す合成樹脂製容器蓋２は、容器蓋本体４とライナー６とから構成されている。高密度ポリエチレン又はポリプロピレンの如き適宜の合成樹脂から成形することができる容器蓋本体４は、円形天面壁８とこの天面壁８の周縁から垂下する円筒形スカート壁１０とを含んでいる。ライナー６は容器蓋本体４の天面壁８の内面に配設されている。かかるライナー６は、圧縮成形又は射出成形によって天面壁８とスカート壁１０とを有する容器蓋本体４を成形した後に、天面壁８の内面に軟化溶融状態の合成樹脂素材を供給し、次いで成形工具（図示していない）を容器蓋本体４内に挿入して合成樹脂素材を所要形状に型押成形することによって好都合に成形することができる。ライナー６を成形するための合成樹脂素材は、低密度ポリエチレン又はＥＶＡ（エチレン−酢酸ビニル共重合体）の如き比較的軟質のものであるのが好都合である。
【００１１】
容器蓋本体４のスカート壁１０には周方向に延びる周方向破断ライン１２が形成されており、スカート壁１０は周方向破断ライン１２よりも上方の主部１４と周方向破断ライン１２よりも下方のタンパーエビデント裾部１６とに区画されている。周方向破断ライン１２自体は、周方向に間隔をおいて周方向に延びる複数個のスリット１８とかかるスリット１８間に位置する複数個の橋絡部２０とから構成されている。複数個の橋絡部２０のうちの１個は他の橋絡部に比べて横断面積を大きくせしめて強度を増大せしめた非破断橋絡部２０Ａである。所望ならば、非破断橋絡部２０Ａを配設することなく全ての橋絡部２０を破断橋絡部とすることもできる（この場合には後述する軸線方向破断ラインの配設を省略することができる）。周方向破断ライン１２の形成について更に言及すると、スカート壁１０の内面には下方を向いた環状肩部２２が形成されており、かかる環状肩部２２よりも下方の内径はそれより上方の内径よりも幾分大きく設定されている。そして、かかる環状肩部２２の直ぐ下方の部位において、スカート壁１０の内面には周方向に間隔をおいて軸線方向に延びる複数個のリブ２４が形成されている。周方向破断ライン１２は、リブ２４を残してスカート壁１０を周方向に切断することによって形成される。スカート壁１０の外面から施されるかかる切断は、周方向全体に渡ってではなくて、周方向一部は切断されることなく残留せしめられる。従って、周方向破断ライン１２よりも下方のタンパーエビデント裾部１６は、切断されることなく残留せしめられている複数個のリブ２４と周方向非切断部を介して、周方向切断ライン１２よりも上方の主部１４に接続されている。複数個のリブ２４が通常の橋絡部２０を規定し、複数個のリブ２４間の切断ラインがスリット１８を規定し、そして周方向非切断部が非破断橋絡部２０Ａを規定している。
【００１２】
上記周方向破断ライン１２に加えて、図示の実施形態においては、タンパーエビデント裾部１６に軸線方向破断ライン２６が形成されている。この軸線方向破断ライン２６はタンパーエビデント裾部１６を軸線方向に延びており、その上端は周方向破断ライン１２における上記非破断橋絡部２０Ａの片端に近接せしめられている。かかる軸線方向破断ライン２６は、タンパーエビデント裾部１６の内面又は外面から、厚さ方向全体ではなくて厚さ方向に部分的に切り込んで生成されるスコア或いは厚さ方向全体に渡って切り込んで生成されるスリットから好都合に構成することができる。
【００１３】
図１を参照して説明を続けると、スカート壁１０の主部１４の外周面には、そこに掛けられる指の滑りを防止するための凹凸形状２８が形成されている。また、主部１４の内周面には雌螺条３０が形成されている。かかる雌螺条３０には、軸線方向に延びる通気切欠３２が周方向に間隔をおいて形成されている。
【００１４】
図１と共に図２を参照して説明すると、タンパーエビデント裾部１６の内周面には、それから半径方向内方に向かって上方に延びる係止片３４が形成されている。図示の実施形態における係止片３４は周方向に連続して延びる環状である。天面壁８とスカート壁１０とを具備する容器蓋本体４を圧縮成形或いは射出成形によって成形した時点においては、図１及び図２に二点鎖線で示す如く、係止片３４はタンパーエビント裾部１６の内周面から半径方向内方に向かって下方に傾斜角度αをなして傾斜する形態に成形される。容器の口頸部に対する係止片３４の係止作用等の見地からは傾斜角度αを比較的大きくすることが望まれるが、傾斜角度αを大きくすると、成形された容器蓋本体４を成形型から取り出す際に係止片３４に起因して過剰な無理抜きが生成される。従って、傾斜角度αは、一般に、５乃至３０度程度であるのが好都合である。成形された容器蓋本体４を成形型から取り出した後に、例えば円柱状工具を容器蓋本体内に挿入して係止片３４を上方に変位せしめることによって、係止片３４は実線で示す如くタンパーエビデント裾部１６の内周面から半径方向内方に向かって上方に延びる状態に反転せしめられる。
【００１５】
図１及び図２を参照して説明を続けると、係止片３４の、二点鎖線で示す反転前の状態において半径方向内側を向いた面、実線で示す反転後の状態において半径方向外側を向いた面、即ちタンパーエビデント裾部１６に対向する面には、周方向に間隔をおいて複数個の干渉片３６が形成されている。かかる干渉片３６の各々は、実線で示す反転後の状態において、係止片３４に接続された基縁３８から半径方向外方に向かって開回転方向（後述するとおりにして容器の口頸部から容器蓋２を離脱する際の容器蓋２の回転方向であり、図１において上方から見て反時計方向）に５乃至７５度程度でよい傾斜角度ｘをなして傾斜して突出せしめられている。係止片３４を半径方向外方に向かって開回転方向に傾斜せしめることに代えて、半径方向外方に向かって閉回転方向（後述するとおりにして容器蓋２を容器の口頸部に装着する際の容器蓋２の回転方向であり、図１において上方から見て時計方向）に傾斜せしめることもできる。干渉片３６の基縁３８は上方に向かって閉回転方向に５乃至６０度程度でよい傾斜角度ｙをなして傾斜して延びているのが好適である。係止片３４が反転せしめられて実線で示す状態にせしめられると、図２を参照することによって明確に理解される如く、三角形状である干渉片３６の半径方向外側縁４０がタンパーエビデント裾部１６の内周面に当接せしめられ、これによって半径方向上方に向かって上方に傾斜する係止片３４の傾斜角度が上記傾斜角度αよりも大きい傾斜角度βに規制される。即ち、干渉片３６が形成されていない場合は、係止片３４を二点鎖線で示す状態から実線で示す状態に反転せしめると、係止片３４は傾斜角度αをなして半径方向内方に向かって上方に傾斜して延びる状態にせしめられるが、干渉片３６の外側縁４０がタンパーエビデント裾部１６の内周面に当接することによって、係止片３４が傾斜角度αをなして半径方向内方に向かって上方に傾斜して延びる状態まで反転することが阻止され、係止片３４は傾斜角度αよりも大きい傾斜角度βをなして半径方向内方に向かって上方に傾斜して延びる状態にせしめられる。後述する如く係止片３４は容器の口頸部に形成されている係止あご部へ係止せしめられるが、かかる係止を充分なものにせしめるために、傾斜角度βは３０乃至８０度程度であるのが好ましい。
【００１６】
二点鎖線で示す反転前の状態における係止片３４の傾斜角度αよりも実線で示す反転後の状態における係止片３４の傾斜角度βが大きい故に、反転前の係止片３４の自由端縁４２によって規定される円の直径に比べて、反転後の係止片３４の自由端縁４２によって規定される円（実際上は波形態の円弧である）の直径は幾分小さくなる。これに起因して、係止片３４を二点鎖線で示す状態から実線で示す状態に反転せしめると、図２に明確に図示する如く、係止片３４の自由端縁部は周方向おいて波形状にせしめられる。
【００１７】
図３は、上述した容器蓋２を、容器の口頸部４４に装着した状態を図示している。ガラス又はポリエチレンテレフタレートの如き適宜の合成樹脂から形成することができる容器の口頸部４４は全体として略円筒形状であり、その外面には雄螺条４６とその下方に位置する環状係止あご部４８とが形成されている。清涼飲料の如き所要内容物を容器に充填した後に、口頸部４４に容器蓋２が装着されて口頸部４４が密封される。口頸部４４に容器蓋２を装着する際には、口頸部４４に容器蓋２を被嵌し、容器蓋２を閉回転方向、即ち図３において上方から見て時計方向に回転せしめ、かくして容器蓋本体４のスカート壁１０における主部１４の内面に形成されている雌螺条３０を容器の口頸部４４の外周面に形成されている雄螺条４６に螺合せしめる。容器蓋本体４におけるスカート壁１０のタンパーエビデント裾部１６の内面に配設されている係止片３４が口頸部４４の係止あご部４８を通過する際には、干渉片３６がその基縁３８を中心として係止片３４側へ、即ち図３において上方から見て反時計方向側へ弾性的に傾動せしめられると共に、係止片３４がその下端を中心として半径方向外方に弾性的に傾動せしめられる。口頸部４４のあご部４８を通過した後に、干渉片３６及び係止片３４は弾性的に復元せしめられ、係止片３４が係止あご部４８の下面に係止せしめられる。容器蓋本体４の天面壁８の内面に形成されたライナー６は、口頸部４４の上端面に密接せしめられ、これによって口頸部４４が密封される。
【００１８】
容器の口頸部４４を開封する際には、容器蓋２を開回転方向、即ち図３において上方から見て反時計方向に回転せしめる。かくすると、容器蓋本体４のスカート壁１０における主部１４の内面に形成されている雌螺条３０が口頸部４４の外周面に形成されている雄螺条４６に沿って移動せしめられる故に、容器蓋２は回転と共に上昇せしめられる。一方、容器蓋本体４のスカート壁１０におけるタンパーエビデント裾部１６は、その内面に配設されている係止片３４が口頸部４４の外周面に形成されている係止あご部４８の下面に係止されているので、上方への移動が阻止される。かくして、容器蓋本体４のスカート壁１０に形成されている周方向破断ライン１２における橋絡部２０に相当な応力が生成され、非破断橋絡部２０Ａを除く全ての橋絡部２０が破断される。更に、タンパーエビデント裾部１６に形成されている軸線方向破断ライン２６にも相当な応力が生成されて、軸線方向破断ライン２６が破断される。かくして、タンパーエビデント裾部１６が無端環状から有端帯状に展開されて、口頸部４４の係止あご部４８に対する係止片３４の係止が解除され、タンパーエビデント裾部１６を含む容器蓋２の全体が上昇可能になる。容器蓋２がある程度上昇されると、容器蓋２のライナー６が口頸部４４の上端から離隔せしめられ、口頸部４４の上端とライナー６との間及び雌螺条３０に形成されている通気切欠３２（図１）を通して容器内が外部と連通せしめられる。しかる後に、容器蓋２の全体が口頸部４４から離脱され、口頸部４４が完全に開封される。
【００１９】
而して、本発明に従って改良された容器蓋２においては、口頸部４４に容器蓋２を所要とおりに装着した状態において、干渉片３６の存在に起因して係止片３４は、成形の際の型抜の容易性等の点から比較的小さい角度に制限される上記傾斜角度αよりも大きい上記傾斜角度βをなして半径方向内方に向かって上方に傾斜して延在し、従ってその自由端縁は半径方向内方に口頸部４４の係止あご部４８の内側部まで充分に延びる。従って、係止あご部４８の外径ｄ２と係止片３４の自由端縁によって規定される最小縁の内径ｄ１との差ｄ２−ｄ１が充分に大きくなる。そしてまた、上述した如く係止片３４の自由端縁部は周方向において波形状にせしめられている故に、係止片３４のスティフネス（所謂腰の強さ）は比較的大きく、係止片３４は充分強固に口頸部４４の係止あご部４８の下面に係止せしめられる。従って、口頸部４４から容器蓋２を離脱せしめる際に、口頸部４４の係止あご部４８に対する係止片３４の係止が毀損されて、周方向破断ライン１２の橋絡部２２及び軸線方向破断ライン２６の破断を伴うことなく、容器蓋２が口頸部４４から離脱されてしまう所謂すっぽ抜けが発生することが充分確実に回避される。
【００２０】
図４は係止片の変形実施形態を図示している。図４に図示する係止片３４においては、係止片３４の自由端縁部に、自由端縁から基縁（即ち実線で示す反転後の上端において下端）に向かって延びる切欠５０が、周方向に間隔をおいて複数個形成されている。係止片３４にかような切欠５０を形成すると、係止片３４の少なくとも自由端縁部の剛性が低減され、従って係止片３４を二点鎖線で示す状態から実線で示す状態にせしめる反転操作を容易化される。他方、切欠５０を形成すると、反転後における係止片３４の自由端縁部の波形状化が実質上回避或いは抑制される。
【００２１】
図５は干渉片３６の変形実施形態を図示している。図５に図示する変形実施形態においては、干渉片３６は係止片３４ではなくてタンパーエビデント裾部１６に形成されている。即ち、干渉片３６はタンパーエビデント裾部１６の内周面に接続された基縁３８から半径方向内方に向かって開回転方向に５乃至７５度でよい傾斜角度ｘをなして傾斜して突出せしめられている。所望ならば、半径方向内方に向かって閉回転方向に傾斜せしめて干渉片３６を突出せしめることもできる。干渉片３６の基縁３８は上方に向かって閉回転方向に５乃至６０度でよい傾斜角度ｙをなして傾斜して延びている。係止片３４が二点鎖線で示す状態から実線で示す状態に反転せしめられると、干渉片３６の半径方向内側縁４０が係止片３４に当接せしめられ、かくして係止片３４の傾斜角度がβに規制される。
【００２２】
【発明の効果】
本発明の合成樹脂性容器蓋においては、反転せしめられる前の状態における係止片の傾斜角度αを型抜操作に支障が発生しない比較的小さい角度にせしめても、反転後における係止片の傾斜角度βを傾斜角度αよりも大きい所要角度にせしめて、すっぽ抜けを充分確実に回避することができる。
【図面の簡単な説明】
【図１】本発明に従って構成された合成樹脂性容器蓋の好適実施形態を示す半断面・半側面図。
【図２】図１に示す容器蓋の部分斜面図。
【図３】図１に示す容器蓋を容器の口頸部に装着した状態を示す半断面・半側面図。
【図４】係止片の変形実施形態を示す部分斜面図。
【図５】干渉片の変形実施形態を示す部分斜面図。
【符号の説明】
２：容器蓋
４：容器蓋本体
６：ライナー
８：天面壁
１０：スカート壁
１２：周方向破断ライン
１４：スカート壁の主部
１６：タンパーエビデント裾部
２６：軸線方向破断ライン
３０：雌螺条
３４：係止片
３６：干渉片
３８：干渉片の基縁
４４：容器の口頸部
４６：雄螺条
４８：係止あご部
５０：切欠
【図１】
0003825078.tif 000002
【図２】
0003825078.tif 000003
【図３】
0003825078.tif 000004
【図４】
0003825078.tif 000005
【図５】
0003825078.tif 000006